【事件の表示】
　平成　２年特許願第　６３７０８号「４段１２列の鍵盤楽器」拒絶査定に対する審判事件［平成　３年１１月２２日出願公開、特開平　３−２６３０９５］について、次のとおり審決する。
【結　論】
　本件審判の請求は、成り立たない。
【理　由】
第１　本願発明
　本願は、平成２年３月１４日の出願であって、その発明は、補正された明細書及び図面の記載からみて、その特許請求の範囲（請求項の数６）に記載された「鍵盤楽器」とその「鍵盤」に係るものであるところ、その請求項１に係る発明（以下「本願発明」という。）は、次に掲げるとおりのものである。
「４段１２列の鍵盤の各キーに楽音を割当て、親指を除く左手の指で鍵盤の左半分の２４キーを担当し、親指を除く右手の指で鍵盤の右半分の２４キーを担当するようにし、同じ段の横に隣合う２つのキーの楽音は、右のキーの楽音が左のキーの楽音よりも半音高く、同じ列の縦に隣合う２つのキーの楽音は、上のキーの楽音が下のキーの楽音よりも１オクターブ高くなるようにした、４段１２列の鍵盤楽器」
　
第２　刊行物発明
　１　刊行物１の発明
　　原審の拒絶理由に引用された刊行物である、本願の出願の日前の昭和５８年５月１６日に頒布された特開昭５８−８１１８５号公報には、次に掲げる(1)ないし(4)の事項からなるタイプライタ（以下「刊行物１の発明」という。）が記載されている。
　 (1)　多数のキーよりなるキー列を複数列備え、隣合うキー列のキーが交互に配列されたキーボードと、
　前記キーの操作に応答し、文字、記号等を印字する印字装置とよりなるタイプライタにおいて、
　前記キーボードの少なくとも一部のキーに夫々楽音を割付け、そのキーの操作に応答して楽音を発生するようにしたことを特徴とするタイプライタ（１頁左下欄４行ないし１２行）
　 (2)　本発明は、多数のキーより成るキー列を複数列備え、隣合うキー列のキーが交互に配列されたキーボードにより印字操作を行なうようにしたタイプライタに関するもので、その目的は、タイプライタ機能の他に電子オルガン機能を得ることができ、しかもタイプライタとしての操作性を全く損なうことなく電子オルガンとしての操作性を良好になし得る等の効果を奏するタイプライタを提供するにある。（１頁左下欄１４行ないし同頁右下欄３行）
　 (3)　上段のキー列９,１０がメロデイ演奏用の上鍵盤として使用され、下段のキー列１１,１２が伴奏用の下鍵盤として使用される。このとき、所謂白鍵に対応するキー列１０,１２の各キーは例えば白色或はアイボリー系色に形成され、またキー列９,１１が有するキーのうち、所謂黒鍵に対応した位置にあるものは黒色に形成され、それ以外のキーは他の色に形成されている。（２頁左上欄５行ないし１２行）
　 (4)　一般的なタイプライタのようにキー列を４列設ける構成とすれば、電子オルガンとして機能している場合に各２列ずつのキー列を夫々メロデイ演奏用の上鍵盤及び伴奏用の下鍵盤として使用することができて、本格的な二段鍵盤式電子オルガンの雰囲気を楽しむことができる。（３頁左下欄末行ないし同頁右下欄６行）
　
　２　刊行物２の発明
　　原審の拒絶査定に引用された刊行物である、本願の出願の日前の平成１年９月８日に頒布された特開平１−２２５９９９号公報には、次に掲げる(1)ないし(3)の事項からなる鍵盤楽器（以下「刊行物２の発明」という。）が記載されている。
　 (1)　C,D,E,F,G,A,Bの各鍵とC#,Eb,F#,Ab,Bbの各鍵とが、C,C#,D,Eb,E,F,F#,G,Ab,A,Bb,Bの鍵順序で８度音程を繰返して配列されている鍵盤楽器において、すべての鍵が同一長さ、同一幅、同一高さおよび同一断面形に形成され、かつ該断面形の上部形状が鍵幅の中心線を最高部とする略半円形に形成されていることを特徴とする鍵盤楽器（１頁左下欄５行ないし１２行）
　 (2)　本発明はピアノ,オルガン等で代表される鍵盤楽器の改良に関し、さらに詳しくいえば、人間工学的にみて極めて合理的であり、初心者であると熟練者であるとを問わず心理的負担なく安心感を抱いて演奏できる鍵盤楽器に関する。（１頁右下欄４行ないし８行）
　 (3)　第１図は一部破断した本発明による鍵盤の平面図、第２図は同じく斜視図、第３図は第１図におけるイーイ矢視正面図である.
　図示実施例において、C,D,E,F,G,A,Bは従来と同様に白鍵とされており、C#,Eb,F#,Ab,Bbは同じく黒鍵とされているが、これらの白鍵および黒鍵の全鍵はすべて同一長さ,同一幅,同一高さおよび同一断面形に形成され、かつ該断面形の上部形状が第２図および第３図に示されるように鍵幅の中心線を最高部とする略半円形に形成されている。なおすべての鍵の鍵幅は従来鍵盤の黒鍵幅と略同幅にすることができ、このようにすれば、従来のピアノの鍵盤のみを本実施例の鍵盤におきかえることにより、容易に本発明の鍵盤楽器(ピアノ)を得ることができる。（４頁左上欄下から２行ないし同頁右上欄１４行）
　
　３　刊行物３の発明
　　原審の拒絶理由に引用された刊行物である、本願の出願の日前の昭和６１年４月２３日に頒布された実願昭５９−１４３４５３号（実開昭６１−６０２２９号公報）のマイクロフィルムには、次に掲げる(1)ないし(3)の事項からなる電子楽器（以下「刊行物３の発明」という。）が記載されている。
　 (1)　盤面上に複数個の階名キーが配列され、少なくとも１オクターブ以上の音階を、キー操作により出力可能な電子楽器において、
　音階順のキー配列を同方向に配列するとともに、オクターブの相違する同一階名キーを同一放射線上に配列してなることを特徴とする電子楽器（１頁５行ないし１０行）
　 (2)　第１図は、この考案の１実施例を示す電子楽器の盤面を示す平面図である。
　この実施例電子楽器１は、略葉書大のものであり、厚さは１.５cm程度のものである。もっとも大きさは、任意に変更できるこというまでもない。
　盤面２には、３列の指名キーの配列３、４、５が設けられている。キー配列３、４、５はいずれも同心円上に配列されている。内円のキー配列３は、キーＫ３ａ、Ｋ３ｂ、Ｋ３ｃ、……、Ｋ３lの１２個のキーからなり、これらのキーは、キーＫ３ａがドに相当し、以下時計方向にド#(●印で示す)、レ、レ＃、……、シの順で階名キーとして配列されている。
　同様に、中円のキー配列４及び外円のキー配列５も、キーＫ４ａ、Ｋ４ｂ、Ｋ４ｃ、……、Ｋ４lとキーＫ５ａ、Ｋ５ｂ、Ｋ５ｃ、……、Ｋ５lからなり、これらのキーはやはり、キーＫ４ａ,Ｋ５ａをドとし、時計方向にド＃、レ、レ＃、……、シの順で階名キーとして配列されている。（３頁６行ないし４頁４行）
　 (3)　今、上記実施例電子楽器１において、キーＫ３ａ、Ｋ４ａ、Ｋ５ａに着目すると、これらは操作されると１オクターブずつ相違するドが出力されるが、いずれも、同一放射線上に位置しており、発音はいずれのドであるかにかかわらず、時計の０時に相当する位置に指をもってくればよい。また同様にキーＫ３ｃ、Ｋ４ｃ、Ｋ５ｃに着目すると、これらのキーの操作によりやはり１オクタ‐ブずつ相違するレが出力されるが、これらのキーも同一放射線上に位置しており、奏者はいずれのレであるかにかかわらず、時計の２時に相当する位置に指を持ってくればよい。（４頁１０行ないし５頁１行）
　
第３　刊行物発明と本願発明との対比・検討
　１　刊行物１の発明と本願発明との対比
　　刊行物１の発明における事項と本願発明における事項とを対比すると、刊行物１の発明は「タイプライタ」であるが、このタイプライタは、その機能の他に電子オルガン機能を有する「鍵盤楽器」といえるから、次に掲げる(1)(2)の事項がそれぞれ相当する。
　　(1)　刊行物１の発明において、第１図に示される４段の「キー列９，１０，１１，１２」は、鍵盤として使用され、各キー列には白鍵に対応するキーは白色に、黒鍵に対応するキーは黒色に１２列のキーが形成されているから、このように形成することは、本願発明における「４段１２列の鍵盤の各キーに楽音を割当て、」ることに相当する。
　　(2)　刊行物１の発明において、「タイプライタ」を「電子オルガン」として使用する際に、「電子オルガン」のキー操作として、「タイプライタ」のキー操作と同じく「親指を除く左手の指で鍵盤の左半分の２４キーを担当し、親指を除く右手の指で鍵盤の右半分の２４キーを担当させる」ことはごく自然なことであるから、このようにキー操作をすることは、本願発明における「親指を除く左手の指で鍵盤の左半分の２４キーを担当し、親指を除く右手の指で鍵盤の右半分の２４キーを担当するようにし、」とすることに相当する。
　
　２　刊行物１の発明と本願発明との一致点・相違点の検討
　　上記１の対比から刊行物１の発明と本願発明とは、次に掲げる(1)の点で一致し、次に掲げる(2)の点で相違する。
　　(1)　一致点
　　　「４段１２列の鍵盤の各キーに楽音を割当て、親指を除く左手の指で鍵盤の左半分の２４キーを担当し、親指を除く右手の指で鍵盤の右半分の２４キーを担当するようにした、４段１２列の鍵盤楽器」
　　(2)　相違点
　　　上記「鍵盤楽器」が、本願発明においては「同じ段の横に隣合う２つのキーの楽音は、右のキーの楽音が左のキーの楽音よりも半音高く、同じ列の縦に隣合う２つのキーの楽音は、上のキーの楽音が下のキーの楽音よりも１オクターブ高くなるようにした」のに対して、刊行物１の発明においては、従来の電子オルガンのキー配列である点
　
　３　相違点についての検討
　　従来のピアノ、オルガン（鍵盤楽器）のキー配列を「横に隣合う２つのキーの楽音は、右のキーの楽音が左のキーの楽音よりも半音高く」することは、上記刊行物２の発明に示されているから、この刊行物２の発明のキー配列を、刊行物１の発明の「同じ段」に採用することは、当業者であれば、適宜なし得ることである。
　そして、その際に、「隣合う２つのキーの楽音は、上のキーの楽音が下のキーの楽音よりも１オクターブ高くなるように」することは、上記刊行物３の発明に示されているから、この刊行物３の発明のキー配列を、刊行物１の発明の「異なる段」に採用することは、当業者であれば、適宜なし得ることである。
　したがって、刊行物１の発明の「鍵盤楽器」を「同じ段の横に隣合う２つのキーの楽音は、右のキーの楽音が左のキーの楽音よりも半音高く、同じ列の縦に隣合う２つのキーの楽音は、上のキーの楽音が下のキーの楽音よりも１オクターブ高くなるように」することは、当業者であれば、適宜なし得ることである。
　
第４　むすび
　以上、本願発明は、刊行物１の発明に基いて、当業者が容易に発明をすることができたものであるから、特許法２９条２項の規定により特許を受けることができない。
　よって、結論のとおり審決する。